(57)【要約】  駐車ブレーキ制御装置１９は、パーキングスイッチ１８の操作に応じて電動アクチュエータ４３を駆動し、ディスクブレーキ３１を駐車ブレーキとして保持作動させる。駐車ブレーキ制御装置１９は、パーキングスイッチ１８の故障（異常）が検出されたときは、車両の停車時に運転者が走行を継続しないことを推定する条件を検出した場合に、電動アクチュエータ４３を駆動し、自動的に駐車ブレーキを保持作動させる。
2015115019.tif 000002
【特許請求の範囲】
【請求項１】
車両の車輪とともに回転する回転部材に当接可能に配置される摩擦部材をブレーキペダルの操作に基づいて押圧部材で推進するブレーキ機構と、
前記車輪を回転不能に保持または解除可能に電動モータにより操作されるパーキング機構と、
該パーキング機構を保持または解除作動させるためのパーキングスイッチの操作に応じて前記電動モータを駆動する制御手段と、を有し、
該制御手段は、
前記パーキングスイッチの異常を検出するパーキングスイッチ異常検出手段を備え、
該パーキングスイッチ異常検出手段によって前記パーキングスイッチの異常が検出された場合において、
前記車両の停車時に前記ブレーキペダルが所定時間踏まれている場合、
または、
前記車両の停車時に運転者の降車を推定する条件を検出した場合、
前記電動モータを作動させ前記パーキング機構を保持作動させることを特徴とするブレーキシステム。
【請求項２】
前記制御手段は、
前記車両の起動スイッチがオンであっても、前記電動モータを作動させ前記パーキング機構を保持作動させることを特徴とする請求項１に記載のブレーキシステム。
【請求項３】
前記制御手段は、
前記起動スイッチがオンのときに、オフのときと比較して前記所定時間を長く設定することを特徴とする請求項２に記載のブレーキシステム。
【請求項４】
前記制御手段は、
前記起動スイッチがオンのときに、トランスミッションの位置が走行状態を選択しているときに、走行状態以外を選択しているときと比較して前記所定時間を長く設定することを特徴とする請求項２または３に記載のブレーキシステム。
【請求項５】
前記運転者の降車を推定する条件は、前記車両に設けられた複数のドアのうちの少なくともいずれかのドアが開いたことである請求項１ないし４のいずれかに記載のブレーキシステム。
【請求項６】
前記車両に設けられた複数のドアのうちの少なくともいずれかのドアが開いた状態で、前記パーキングスイッチの異常が検出されたときは、前記運転者の降車を推定する条件は、開いた状態の前記ドアが閉じて再び開いたことである請求項１ないし４のいずれかに記載のブレーキシステム。
【請求項７】
前記運転者の降車を推定する条件は、前記車両が停止した状態で前記運転者のシートベルトが外されたことである請求項１ないし６のいずれかに記載のブレーキシステム。
【請求項８】
前記運転者の降車を推定する条件は、トランスミッションをパーキング位置に選択したことである請求項１ないし７のいずれかに記載のブレーキシステム。
【請求項９】
車両の車輪とともに回転する回転部材に当接可能に配置される摩擦部材をブレーキペダルの操作に基づいて押圧部材で推進するブレーキ機構と、
前記車輪を回転不能に保持または解除可能に電動モータにより操作されるパーキング機構と、
該パーキング機構を保持または解除作動させるためのパーキングスイッチの操作に応じて前記電動モータを駆動する制御手段と、を有し、
該制御手段は、
前記パーキングスイッチの異常を検出するパーキングスイッチ異常検出手段を備え、
該パーキングスイッチ異常検出手段によって前記パーキングスイッチの異常が検出された場合において、
前記車両の駆動装置が走行可能な状態で、前記車両の停車時に運転者が走行を継続しないことを推定する条件を検出した場合、
前記電動モータを作動させ前記パーキング機構を保持作動させることを特徴とするブレーキシステム。
【発明の詳細な説明】
【技術分野】
【０００１】
本発明は、車両に制動力を付与するブレーキシステムに関する。
【背景技術】
【０００２】
自動車等の車両に搭載されるブレーキシステムとして、例えば、ブレーキペダルの操作に基づいて車輪とともに回転する回転部材（ディスク、ドラム）に摩擦部材（パッド、シュー）を当接させることにより制動力を付与するブレーキ機構と、車両の停車、駐車時等にパーキングスイッチ（駐車ブレーキスイッチ）の操作に基づいて電動モータを駆動（回転）することにより制動力を付与するパーキング機構とを備えたものが知られている（特許文献１）。
【先行技術文献】
【特許文献】
【０００３】
【特許文献１】特開２０１３−１１２１６７号公報
【発明の概要】
【０００４】
ところで、特許文献１による従来技術は、パーキングスイッチが故障すると、駐車ブレーキの保持（アプライ）が行えなくなる可能性があり、利便性に欠ける。
【０００５】
本発明の目的は、パーキングスイッチが故障しても、駐車ブレーキの保持を行うことができるブレーキシステムを提供することにある。
【０００６】
上述した課題を解決するため、本発明によるブレーキシステムは、車両の車輪とともに回転する回転部材に当接可能に配置される摩擦部材をブレーキペダルの操作に基づいて押圧部材で推進するブレーキ機構と、前記車輪を回転不能に保持または解除可能に電動モータにより操作されるパーキング機構と、該パーキング機構を保持または解除作動させるためのパーキングスイッチの操作に応じて前記電動モータを駆動する制御手段と、を有する。
【０００７】
そして、本発明によるブレーキシステムは、前記制御手段は、前記パーキングスイッチの異常を検出するパーキングスイッチ異常検出手段を備え、該パーキングスイッチ異常検出手段によって前記パーキングスイッチの異常が検出された場合において、前記車両の停車時に前記ブレーキペダルが所定時間踏まれている場合、または、前記車両の停車時に運転者の降車を推定する条件を検出した場合、前記電動モータを作動させ前記パーキング機構を保持作動させる構成としている。
【０００８】
また、本発明によるブレーキシステムは、前記制御手段は、前記パーキングスイッチの異常を検出するパーキングスイッチ異常検出手段を備え、該パーキングスイッチ異常検出手段によって前記パーキングスイッチの異常が検出された場合において、前記車両の駆動装置が走行可能な状態で、前記車両の停車時に運転者が走行を継続しないことを推定する条件を検出した場合、前記電動モータを作動させ前記パーキング機構を保持作動させる構成としている。
【０００９】
本発明のブレーキシステムによれば、パーキングスイッチが故障しても、駐車ブレーキの保持を行うことができ、車両の停車状態を維持することが可能となる。
【図面の簡単な説明】
【００１０】
【図１】第１の実施形態によるブレーキシステムが搭載された車両の概念図。
【図２】図１中の駐車ブレーキ制御装置を示すブロック図。
【図３】図１中の後輪側に設けられた電動駐車ブレーキ機能付のディスクブレーキを拡大して示す縦断面図。
【図４】駐車ブレーキ制御装置による制御処理を示す流れ図。
【図５】図４に続く流れ図。
【図６】第２の実施形態による降車または非運転の判定処理を示す流れ図。
【図７】ドアの開閉と駐車ブレーキの保持との関係を示すタイムチャート。
【発明を実施するための形態】
【００１１】
以下、実施形態によるブレーキシステムについて、当該ブレーキシステムを４輪自動車に搭載した場合を例に挙げ、添付図面に従って説明する。なお、図４〜図６に示す流れ図の各ステップは、それぞれ「Ｓ」という表記を用い、例えばステップ１を「Ｓ１」として示すものとする。
【００１２】
図１ないし図５は、第１の実施形態を示している。図１において、車両のボディを構成する車体１の下側（路面側）には、４個の車輪、例えば左，右の前輪２（ＦＬ，ＦＲ）と左，右の後輪３（ＲＬ、ＲＲ）とが設けられている。これらの各前輪２および各後輪３には、それぞれの車輪（各前輪２、各後輪３）とともに回転する回転部材（ディスク）としてのディスクロータ４が設けられている。各前輪２用のディスクロータ４は、液圧式のディスクブレーキ５により制動力が付与され、各後輪３用のディスクロータ４は、電動駐車ブレーキ機能付の液圧式のディスクブレーキ３１により制動力が付与される。これにより、各車輪（各前輪２、各後輪３）のそれぞれに対して相互に独立して制動力が付与される。
【００１３】
車体１のフロントボード側には、ブレーキペダル６が設けられている。ブレーキペダル６は、車両のブレーキ操作時に運転者によって踏込み操作され、この操作に基づいて、常用ブレーキ（サービスブレーキ）としての制動力の付与および解除が行われる。ブレーキペダル６には、ブレーキランプスイッチ、ペダルスイッチ、ペダルストロークセンサ等のブレーキペダル操作検出センサ（ブレーキセンサ）６Ａが設けられている。ブレーキペダル操作検出センサ６Ａは、ブレーキペダル６の踏込み操作の有無、または、その操作量を検出し、その検出信号を液圧供給装置用コントローラ１３に出力する。ブレーキペダル操作検出センサ６Ａの検出信号は、例えば、車両データバス１６、または、液圧供給装置用コントローラ１３と駐車ブレーキ制御装置１９とを接続する信号線（図示せず）を介して伝送される（駐車ブレーキ制御装置１９に出力される）。
【００１４】
ブレーキペダル６の踏込み操作は、倍力装置７を介して、油圧源として機能するマスタシリンダ８に伝達される。倍力装置７は、ブレーキペダル６とマスタシリンダ８との間に設けられた負圧ブースタまたは電動ブースタとして構成され、ブレーキペダル６の踏込み操作時に踏力を増力してマスタシリンダ８に伝える。このとき、マスタシリンダ８は、マスタリザーバ９から供給されるブレーキ液により液圧を発生させる。マスタリザーバ９は、ブレーキ液が収容された作動液タンクにより構成されている。ブレーキペダル６により液圧を発生する機構は、上記の構成に限らず、ブレーキペダル６の操作に応じて液圧を発生する機構、例えばブレーキバイワイヤ方式の機構等であってもよい。
【００１５】
マスタシリンダ８内に発生した液圧は、例えば一対のシリンダ側液圧配管１０Ａ，１０Ｂを介して、液圧供給装置１１（以下、ＥＳＣ１１という）に送られる。ＥＳＣ１１は、マスタシリンダ８からの液圧をブレーキ側配管部１２Ａ，１２Ｂ，１２Ｃ，１２Ｄを介して各ディスクブレーキ５，３１に分配する。これにより、車輪（各前輪２、各後輪３）のそれぞれに対して相互に独立して制動力が付与される。
【００１６】
ＥＳＣ１１は、各ディスクブレーキ５，３１とマスタシリンダ８との間に配置されている。ＥＳＣ１１は、ブレーキペダル６の操作量に従わない態様でも、各ディスクブレーキ５，３１に液圧を供給すること、即ち、各ディスクブレーキ５，３１の液圧を高めることができる。ＥＳＣ１１は、ＥＳＣ１１の作動を制御する液圧供給装置用コントローラ１３（以下、コントロールユニット１３という）を有している。コントロールユニット１３は、ＥＳＣ１１の各制御弁（図示せず）を開，閉したり、液圧ポンプ用の電動モータ（図示せず）を回転，停止させたりする駆動制御を行うことにより、ブレーキ側配管部１２Ａ〜１２Ｄから各ディスクブレーキ５，３１に供給されるブレーキ液圧を増圧、減圧または保持する制御を行う。これにより、種々のブレーキ制御、例えば、倍力制御、制動力分配制御、ブレーキアシスト制御、アンチロックブレーキ制御（ＡＢＳ）、アンチスキッド制御、トラクション制御、車両安定化制御（横滑り防止を含む）、坂道発進補助制御等が実行される。
【００１７】
コントロールユニット１３は、マイクロコンピュータを備えている。コントロールユニット１３には、バッテリ１４からの電力が電源ライン１５を通じて給電される。また、コントロールユニット１３は、図１に示すように、車両データバス１６に接続されている。また、車両１には、この車両の駆動装置を駆動させたり、その他の機器の電源をオンオフする車両の起動スイッチとしてのイグニッションスイッチ５０が設けられている。イグニッションスイッチ５０のオン（通電）、オフ（非通電）の情報は、車両データバス１６により伝送されるようになっている。以下の説明では、イグニッションスイッチ５０をイグニッションと記載する。なお、上記したＥＳＣ１１の代わりに、公知のＡＢＳユニットを用いてもよい。さらには、ＥＳＣ１１を設けずに（即ち、省略し）、マスタシリンダ８とブレーキ側配管部１２Ａ〜１２Ｄとを直接的に接続する構成としてもよい。
【００１８】
車両データバス１６は、車体１に搭載されたシリアル通信部としてのＣＡＮ（Controller Area Network）を構成しており、車両に搭載された多数の電子機器、コントロールユニット１３および駐車ブレーキ制御装置１９等との間で車両内での多重通信を行う。この場合、車両データバス１６に送られる車両情報としては、例えば操舵角センサ、アクセルセンサ（アクセルペダル操作検出センサ）、スロットルセンサ、エンジン回転センサ、ブレーキセンサ（ブレーキペダル操作検出センサ６Ａ）、イグニッションスイッチ５０、車輪速センサ、車速センサ、傾斜センサ、Ｇセンサ（加速度センサ）、ステレオカメラ、ミリ波レーダ、シートベルトセンサ、トランスミッションセンサ（シフトセンサ）、ドアセンサ、ステアリングセンサ（ハンドルセンサ）、着座センサ、室内カメラ、圧力センサ１７等からの検出信号による情報（車両情報）が挙げられる。
【００１９】
圧力センサ１７は、ブレーキ側配管部１２Ａ，１２Ｂ，１２Ｃ，１２Ｄにそれぞれ設けられており、それぞれの管路内圧力（即ち、液圧）、換言すれば、各管路内圧力に対応するキャリパ３４（シリンダ部３６）内の液圧（ホイールシリンダ液圧）を個別に検出する。なお、圧力センサ１７は、１つまたは２つ設ける構成としてもよく、例えばマスタシリンダ８とＥＳＣ１１との間のシリンダ側液圧配管１０Ａ，１０Ｂにのみ設ける（マスタシリンダ液圧を検出する）構成としてもよい。
【００２０】
車体１内には、運転席（図示せず）の近傍にパーキングスイッチ（駐車ブレーキスイッチ）１８が設けられている。パーキングスイッチ１８は運転者によって操作される。パーキングスイッチ１８は、運転者からの駐車ブレーキの作動の要求（保持要求・解除要求）に対応する信号（作動要求信号）を、駐車ブレーキ制御装置１９へ伝達する。即ち、パーキングスイッチ１８は、電動アクチュエータ４３の駆動（回転）に基づいてパーキング機構（回転直動変換機構４０）を保持または解除させるための信号（保持要求信号、解除要求信号）を駐車ブレーキ制御装置１９に出力する。
【００２１】
パーキングスイッチ１８が制動側（駐車ブレーキＯＮ側）に操作されたとき、即ち、運転者からの保持要求（駆動要求）があったときは、駐車ブレーキ制御装置１９を介して後輪３用のディスクブレーキ３１に、電動アクチュエータ４３を制動側に回転させるための電力が給電される。これにより、後輪３用のディスクブレーキ３１は、駐車ブレーキとしての制動力が付与された状態、即ち、保持状態（アプライ状態）となる。
【００２２】
なお、本明細書では、駐車ブレーキをかける（アプライする）こと、即ち、駐車ブレーキとしての制動力を付与することを、「保持」という言葉を用いて説明する。これは、電動アクチュエータ４３の駆動によりブレーキパッド３３に所定の押圧力（推力）を付与し、そのときのピストン３９およびブレーキパッド３３の位置をパーキング機構（回転直動変換機構４０）により保持することから、この言葉を用いるものである。
【００２３】
一方、パーキングスイッチ１８が制動解除側（駐車ブレーキＯＦＦ側）に操作されたとき、即ち、運転者からの解除要求があったときは、駐車ブレーキ制御装置１９を介してディスクブレーキ３１に、電動アクチュエータ４３を制動側とは逆方向に回転させる電力が給電される。これにより、後輪３用のディスクブレーキ３１は、駐車ブレーキとしての制動力の付与が解除された状態、即ち、解除状態（リリース状態）となる。
【００２４】
駐車ブレーキは、例えば車両が停止したとき（例えば、走行中に減速に伴って４ｋｍ／ｈ未満の状態が所定時間継続したとき）、エンジンが停止（エンスト）したとき、シフトレバー（セレクトレバー、セレクトスイッチ）をＰ（パーキング）に操作したとき、ドアが開いたとき、シートベルトが解除されたとき等、駐車ブレーキ制御装置１９での駐車ブレーキの保持判断ロジックによる自動的な保持要求（自動保持要求）に基づいて、自動的に制動力を付与（保持）する構成とすることができる。また、駐車ブレーキは、例えば車両が走行したとき（例えば、停車から増速に伴って５ｋｍ／ｈ以上の状態が所定時間継続したとき）、アクセルペダルが操作されたとき、クラッチペダルが操作されたとき、シフトレバーがＰ、Ｎ（ニュートラル）以外に操作されたとき等、駐車ブレーキ制御装置１９での駐車ブレーキの解除判断ロジックによる自動的な解除要求（自動解除要求）に基づいて、自動的に制動力を解除する構成とすることができる。なお、パーキングスイッチ１８が故障したときの駐車ブレーキ制御装置１９による自動保持要求については、後で詳しく説明する。
【００２５】
駐車ブレーキ制御装置１９は、左，右一対のディスクブレーキ３１と共にブレーキシステム（電動ブレーキ装置）を構成する。図２に示すように、駐車ブレーキ制御装置１９は、マイクロコンピュータ等によって構成される演算回路（ＣＰＵ）２０を有し、駐車ブレーキ制御装置１９には、バッテリ１４からの電力が電源ライン１５を通じて給電される。
【００２６】
駐車ブレーキ制御装置１９は、制御手段（コントローラ、コントロールユニット）を構成するものである。駐車ブレーキ制御装置１９は、電動アクチュエータ４３を制御し、車両の駐車、停車時（必要に応じて走行時）に制動力（駐車ブレーキ、補助ブレーキ）を発生させる。即ち、駐車ブレーキ制御装置１９は、パーキングスイッチ１８の操作、駐車ブレーキの保持・解除の判断ロジック等に応じて、電動アクチュエータ４３を駆動することにより、ディスクブレーキ３１を駐車ブレーキ（必要に応じて補助ブレーキ）として作動（保持・解除）させる。
【００２７】
ここで、駐車ブレーキ制御装置１９は、車両の運転者がパーキングスイッチ１８を操作したときに、該パーキングスイッチ１８から出力される信号（ＯＮ，ＯＦＦ信号）に基づいて、電動アクチュエータ４３を駆動し、ディスクブレーキ３１の保持（アプライ）または解除（リリース）を行う。また、駐車ブレーキ制御装置１９は、パーキングスイッチ１８からの信号の他、駐車ブレーキの保持・解除の判断ロジックに基づいて、電動アクチュエータ４３を駆動し、ディスクブレーキ３１の保持または解除を行う。
【００２８】
このように、駐車ブレーキ制御装置１９は、パーキングスイッチ１８の信号、駐車ブレーキの保持・解除の判断ロジックに基づく信号を含む「作動要求信号」、即ち、駐車ブレーキの作動（保持・解除）を要求する「作動要求信号」があったときに、その要求に応じたディスクブレーキ３１の保持または解除を行うものである。このとき、ディスクブレーキ３１では、電動アクチュエータ４３の駆動に基づいて、パーキング機構（回転直動変換機構４０）によるピストン３９およびブレーキパッド３３の保持または解除が行われる。従って、「作動要求信号」は、パーキング機構（回転直動変換機構４０）によるピストン３９およびブレーキパッド３３の保持作動または解除作動させるための信号となるものである。
【００２９】
図１ないし図３に示すように、駐車ブレーキ制御装置１９は、入力側がパーキングスイッチ１８等に接続され、出力側はディスクブレーキ３１の電動アクチュエータ４３等に接続されている。より具体的には、図２に示すように、駐車ブレーキ制御装置１９の演算回路（ＣＰＵ）２０には、記憶部（メモリ）２１に加えて、パーキングスイッチ１８、車両データバス１６、電圧センサ部２２、モータ駆動回路２３、電流センサ部２４等が接続されている。車両データバス１６からは、駐車ブレーキの制御（作動）に必要な車両の各種状態量、即ち、各種車両情報を取得することができる。
【００３０】
なお、車両データバス１６から取得する車両情報は、その情報を検出するセンサを駐車ブレーキ制御装置１９（の演算回路２０）に直接接続することにより取得する構成としてもよい。また、駐車ブレーキ制御装置１９の演算回路２０は、パーキングスイッチ１８、および、車両データバス１６に接続された他の制御装置（例えばコントロールユニット１３）からの作動要求信号を受信するように構成することができる。
【００３１】
この場合は、例えば、前述の判断ロジックによる駐車ブレーキの保持・解除の判定を、駐車ブレーキ制御装置１９に代えて、他の制御装置、例えばコントロールユニット１３で行う構成とすることができる。即ち、コントロールユニット１３に駐車ブレーキ制御装置１９の制御内容を統合することが可能である。
【００３２】
駐車ブレーキ制御装置１９は、例えばフラッシュメモリ、ＲＯＭ、ＲＡＭ、ＥＥＰＲＯＭ等からなる記憶部（メモリ）２１（図２参照）を備えている。記憶部２１には、図４および図５に示す処理フローを実行するためのプログラム、即ち、パーキングスイッチ１８が故障したときのディスクブレーキ３１の保持（制動付与）の可否の判断を行うための処理プログラム、その判断に用いる閾値等が格納されている。さらに、記憶部２１には、後述の「ブレーキ踏み用カウンタ」の値、「降車or非運転用カウンタ」の値が更新可能に記憶される。
【００３３】
なお、実施形態では、駐車ブレーキ制御装置１９をＥＳＣ１１のコントロールユニット１３と別体としたが、駐車ブレーキ制御装置１９をコントロールユニット１３と一体に構成してもよい。また、駐車ブレーキ制御装置１９は、左，右で２つのディスクブレーキ３１を制御するようにしているが、左，右のディスクブレーキ３１毎に設けるようにしてもよく、この場合には、駐車ブレーキ制御装置１９をディスクブレーキ３１に一体的に設けることもできる。
【００３４】
図２に示すように、駐車ブレーキ制御装置１９には、電源ライン１５からの電圧を検出する電圧センサ部２２、左，右の電動アクチュエータ４３，４３をそれぞれ駆動する左，右のモータ駆動回路２３，２３、左，右の電動アクチュエータ４３，４３のそれぞれのモータ電流を検出する左，右の電流センサ部２４，２４等が内蔵されている。これら電圧センサ部２２、モータ駆動回路２３、電流センサ部２４は、それぞれ演算回路２０に接続されている。
【００３５】
これにより、駐車ブレーキ制御装置１９の演算回路２０は、例えば、駐車ブレーキの保持（アプライ）や解除（リリース）を行うときに、電動アクチュエータ４３のモータ電流値に基づいて、該電動アクチュエータ４３の駆動を停止することができる。この場合、演算回路２０は、駐車ブレーキの保持を行うときは、例えばモータ電流値が保持閾値（そのときに発生すべき推力に対応する電流値）に達したときに、回転直動変換機構４０によるピストン３９の状態が保持状態になったと判定し、電動アクチュエータ４３の駆動を停止する。一方、駐車ブレーキの解除を行うときは、演算回路２０は、例えば、モータ電流値が予め設定した解除閾値に達したときに、回転直動変換機構４０によるピストン３９の状態が解除状態になったと判定し、電動アクチュエータ４３の駆動を停止する。
【００３６】
ここで、実施形態では、駐車ブレーキ制御装置１９は、パーキングスイッチ１８の異常（不調、故障）を検出するパーキングスイッチ異常検出手段（図４のＳ１）を備えている。このパーキングスイッチ異常検出手段は、例えば、パーキングスイッチ１８の電圧値の変化からその異常を判定する。即ち、パーキングスイッチ１８は、運転者により操作されると電圧が変化する。このため、駐車ブレーキ制御装置１９は、予め定められた電圧値により操作状況（アプライ操作、リリース操作、操作なし）を判定する。駐車ブレーキ制御装置１９は、パーキングスイッチ１８の電圧値が定められた電圧値以外の電圧値になった場合、例えば、アプライ操作のときの電圧値とリリース操作のときの電圧値と操作なしのときの電圧値とのいずれの電圧値からも外れた（ずれた）場合に、パーキングスイッチ１８の異常（不調、故障）と判定することができる。
【００３７】
駐車ブレーキ制御装置１９は、パーキングスイッチ異常検出手段によってパーキングスイッチ１８の異常が検出されたときは、車両の停車時に、ブレーキペダル６が所定時間踏まれている場合は、（イグニッションスイッチ５０がオン、即ち、イグニッションオンであっても）電動アクチュエータ４３を作動させ、駐車ブレーキを（自動的に）保持作動させる。この場合、車両の停車の検出は、車両の速度を検出する車速センサ、車輪の速度を検出する車輪速センサにより行うことができる。また、ブレーキペダル６の操作（踏込み）の検出は、ペダルスイッチ、ペダルストロークセンサ、ブレーキランプスイッチ等のブレーキペダル操作検出センサ（ブレーキセンサ）６Ａやマスタシリンダ８の液圧を検出する液圧センサ、マスタシリンダ８のピストンの変位若しくは倍力装置７の内部部品の変位を検出する変位センサ等により行うことができる。
【００３８】
一方、所定時間、即ち、運転者が車両の停車を継続させる意思（推定条件）に対応するブレーキペダル６の踏み時間は、パーキングスイッチ１８が故障したとき（異常と判定されたとき）に運転者が駐車ブレーキを保持（アプライ）させるための条件として設定されるものである。この場合、所定時間は、イグニッション（ＩＧＮ）のオン（ＯＮ）のときとオフ（ＯＦＦ）のときとでそれぞれ異なる値として設定することができる。具体的には、イグニッションオン（ＩＧＮ_ＯＮ）のときの所定時間は、イグニッションオフ（ＩＧＮ_ＯＦＦ）のときの所定時間と比較して、長く設定することができる。
【００３９】
また、イグニッションオンのときは、車両の状態や運転者の操作状況に応じて所定時間の長さを可変にすることができる。例えば、イグニッションオンのときは、トランスミッションの位置に対応するシフトレバー（セレクトレバー、セレクトスイッチ）の位置が走行状態を選択しているときに、走行状態以外（非走行状態）を選択しているときと比較して、所定時間を長く設定することができる。具体的には、走行状態となるドライブ（Ｄ）、リバース（Ｒ）、ロー（Ｌ）、変速段（例えば１速ないし７速のいずれか）等を選択しているときの所定時間を、非走行状態となるパーキング（Ｐ）、ニュートラル（Ｎ）等を選択しているときの所定時間よりも長く設定することができる。このように、走行状態（Ｄ、Ｒ、Ｌ、１速ないし７速のいずれか等）を選択しているときの所定時間を長くすることにより、例えば渋滞走行のときに不必要に駐車ブレーキが保持作動されることを抑制することができる。
【００４０】
また、駐車ブレーキ制御装置１９は、パーキングスイッチ異常検出手段によってパーキングスイッチ１８の異常が検出されたときは、車両の停車時に運転者の降車を推定する条件を検出した場合に、（イグニッションオンであっても）電動アクチュエータ４３を作動させ、駐車ブレーキを（自動的に）保持作動させる構成としている。この場合、運転者の降車を推定する条件（降車しようとしていること、および／または、降車したことを推定する条件）は、次のように設定することができる。
【００４１】
即ち、次の（１）〜（６）の条件の少なくともいずれかを検出した場合に、運転者に降車の意思がある（運転者が降車する可能性が高い、運転者が降車しようとしている、運転者が降車した）と判定することができる。
（１）車両が停止した状態で、車両の少なくともいずれかのドア（例えば、運転席のドア）が開いたこと。
（２）車両が停止した状態で、運転者のシートベルトが外されたこと。
（３）車両が停止した状態で、トランスミッションの位置となるシフトレバー（セレクトレバー、セレクトスイッチ）の位置がパーキング（Ｐ）の位置に選択（操作）されたこと。
（４）車両が停止した状態で、運転者がステアリングホイール（ハンドル）から所定時間（例えば、１分程度の長時間）手を離したこと。
（５）車両が停止した状態で、運転者が運転席から離席したこと。
（６）車両が停止した状態で、運転者が降車する動きをしたこと、または、降車したこと。
【００４２】
この場合、上記（１）の検出は、ドアの開閉を検出するドアセンサ（図示せず）により行うことができる。上記（２）の検出は、シートベルトの着脱を検出するシートベルト着脱センサ（図示せず）により行うことができる。上記（３）の検出は、シフトレバーの操作位置（選択位置）を検出するシフトセンサ（図示せず）により行うことができる。上記（４）の検出は、ステアリングホイールを握っている（把持している）か否かを検出するステアリングセンサ（図示せず）により行うことができる。上記（５）の検出は、運転席の荷重を検出する着座センサ（図示せず）により行うことができる。上記（６）の検出は、運転者を映す室内カメラ（図示せず）により行うことができる。室内カメラは、例えば、上記（４）、（５）の検出も行うことができる。いずれにしても、上記（１）〜（６）の条件の少なくともいずれかを検出すると、例えばイグニッションオンの状態でも、運転者に降車の意思ありと判定し、駐車ブレーキを（自動的に）保持作動させる。
【００４３】
なお、運転者の降車を推定する条件としては、（１）〜（６）の各条件を組み合わせて運転者の降車を推定するようにしてもよい。また、イグニッションオフの状態で、車両の停車時に、ブレーキペダルの操作の検出か運転者の降車を推定の検出のいずれかが検出されたときに、駐車ブレーキを保持作動させるようにしてもよい。さらに、イグニッションオンの状態で、車両の停車時に、運転者の降車を推定の検出がなされたときに、駐車ブレーキを保持作動させるようにしてもよい。
【００４４】
また、駐車ブレーキ制御装置１９は、パーキングスイッチ異常検出手段によってパーキングスイッチ１８の異常が検出されたときは、車両の駆動装置が走行可能な状態で、車両の停車時に運転者が走行を継続しないことを推定する条件を検出した場合に、電動アクチュエータ４３を作動させ、駐車ブレーキを（自動的に）保持作動させる構成とすることができる。
【００４５】
この場合、駆動装置が走行可能な状態とは、走行用のエンジンが搭載された車両であれば、例えばイグニッションオンの状態、即ち、走行用のエンジンが始動し回転軸（クランク軸）が回転している状態（少なくともアイドリング状態）をいう。走行用のエンジンと走行用の電動モータが搭載された（ハイブリッド式の）車両であれば、例えば走行可能モード（レディーモード、パワーオンモード）の状態、即ち、エンジンが始動し回転軸（クランク軸）が回転している状態と走行用の電動モータによる走行が可能な状態との少なくとも一方を満たす状態をいう。走行用電動モータのみが搭載された車両であれば、例えば走行可能モード（レディーモード、パワーオンモード）の状態、即ち、走行用電動モータによる走行が可能な状態（ないし蓄電装置による電装品、補機の駆動が可能な状態）、すなわち、車両の起動スイッチがオンの状態をいう。
【００４６】
いずれにしても、駆動装置が走行可能な状態で、車両の停車時に運転者が走行を継続しないことを推定する条件を検出した場合、例えば、ブレーキペダル６が所定時間踏まれた場合、上記（１）〜（６）が検出された場合等に、運転者の非運転の意思ありと推定し、駐車ブレーキを保持作動させることができる。また、運転者を映す室内カメラにより運転者の視線が所定時間前方にないことが検出された場合、運転者の目が所定時間閉じていることが検出された場合等にも、運転者の非運転の意思ありと推定し、駐車ブレーキを保持作動させることができる。このような駐車ブレーキ制御装置１９で行われる図４および図５の制御処理については、後で詳しく述べる。
【００４７】
なお、駐車ブレーキ制御装置１９は、イグニッション（ＩＧＮ）のオン／オフの情報、車輪速センサや車速センサによる車両の速度の情報、ブレーキペダル操作検出センサ６Ａによるブレーキペダル６の操作（踏込み）の情報、シフトセンサ（セレクトセンサ、トランスミッションセンサ）によるトランスミッションの位置（シフトレバーの位置）の情報、ドアセンサによるドアの開閉の情報、シートベルトセンサによるシートベルトの着脱の情報、ステアリングセンサ（ハンドルセンサ）によるステアリングホイールの保持（把持）の情報、着座センサによる離着席の情報、室内カメラによる運転者の情報等の車両情報は、例えば、車両データバス１６から取得することができる。
【００４８】
次に、左，右の後輪３，３側に設けられる電動駐車ブレーキ機能付のディスクブレーキ３１，３１の構成について、図３を参照しつつ説明する。なお、図３では、左，右の後輪３，３に対応してそれぞれ設けられた左，右のディスクブレーキ３１，３１のうちの一方のみを代表例として示している。
【００４９】
車両の左，右にそれぞれ設けられたそれぞれがブレーキ機構としての一対のディスクブレーキ３１は、電動式の駐車ブレーキ機能が付設された液圧式のディスクブレーキとして構成されている。ディスクブレーキ３１は、駐車ブレーキ制御装置１９と共にブレーキシステム（電動ブレーキ装置）を構成する。ディスクブレーキ３１は、車両の後輪３側の非回転部分に取付けられる取付部材３２と、摩擦部材としてのインナ側，アウタ側のブレーキパッド３３と、電動アクチュエータ４３が設けられたキャリパ３４とを含んで構成されている。
【００５０】
この場合、ディスクブレーキ３１は、ブレーキパッド３３をブレーキペダル６の操作に基づいてピストン３９で推進することにより、ブレーキパッド３３をディスクロータ４に押圧し、車輪（後輪３）に制動力を付与する。これに加えて、ディスクブレーキ３１は、パーキングスイッチ１８や前述の駐車ブレーキの保持の判断ロジックに基づく制動要求信号に応じて、電動アクチュエータ４３により（回転直動変換機構４０を介して）ピストン３９を推進することにより、ブレーキパッド３３をディスクロータ４に押圧し、車輪（後輪３）に駐車ブレーキとしての制動力を付与する。
【００５１】
取付部材３２は、ディスクロータ４の外周を跨ぐようにディスクロータ４の軸方向（即ち、ディスク軸方向）に延びディスク周方向で互いに離間した一対の腕部（図示せず）と、該各腕部の基端側を一体的に連結するように設けられ、ディスクロータ４のインナ側となる位置で車両の非回転部分に固定される厚肉の支承部３２Ａと、ディスクロータ４のアウタ側となる位置で前記各腕部の先端側を互いに連結する補強ビーム３２Ｂとを含んで構成されている。
【００５２】
インナ側，アウタ側のブレーキパッド３３は、摩擦部材を構成するもので、ディスクロータ４の両面に当接可能に配置され、取付部材３２の各腕部によりディスク軸方向に移動可能に支持されている。インナ側，アウタ側のブレーキパッド３３は、キャリパ３４（キャリパ本体３５、ピストン３９）によりディスクロータ４の両面側に押圧される。これにより、ブレーキパッド３３は、車輪（後輪３）と共に回転するディスクロータ４を押圧することにより車両に制動力を与える。
【００５３】
取付部材３２には、ディスクロータ４の外周側を跨ぐようにキャリパ３４が配置されている。キャリパ３４は、取付部材３２の各腕部に対してディスクロータ４の軸方向に沿って移動可能に支持されたキャリパ本体３５、このキャリパ本体３５内に摺動可能に挿嵌して設けられたピストン３９に加え、回転直動変換機構４０、電動アクチュエータ４３等を備えている。キャリパ３４は、ブレーキペダル６の操作に基づいて発生する液圧によって作動するピストン３９を用いてブレーキパッド３３を推進する。
【００５４】
キャリパ本体３５は、シリンダ部３６とブリッジ部３７と爪部３８とを備えている。シリンダ部３６は、軸線方向の一方側が隔壁部３６Ａによって閉塞され、ディスクロータ４に対向する他方側が開口された有底円筒状に形成されている。ブリッジ部３７は、ディスクロータ４の外周側を跨ぐように該シリンダ部３６からディスク軸方向に延びて形成されている。爪部３８は、シリンダ部３６と反対側においてブリッジ部３７から径方向内側に向けて延びるように配置されている。
【００５５】
キャリパ本体３５のシリンダ部３６は、図１に示すブレーキ側配管部１２Ｃまたは１２Ｄを介してブレーキペダル６の踏込み操作等に伴う液圧が供給される。このシリンダ部３６は、隔壁部３６Ａと一体形成されている。隔壁部３６Ａは、シリンダ部３６と電動アクチュエータ４３との間に位置している。隔壁部３６Ａは、軸線方向の貫通穴を有しており、隔壁部３６Ａの内周側には、電動アクチュエータ４３の出力軸４３Ｂが回転可能に挿入されている。キャリパ本体３５のシリンダ部３６内には、押圧部材（移動部材）としてのピストン３９と、回転直動変換機構４０とが設けられている。
【００５６】
なお、実施形態においては、回転直動変換機構４０がピストン３９内に収容されている。但し、回転直動変換機構４０は、ピストン３９を推進するように構成されていればよく、必ずしもピストン３９内に収容されていなくてもよい。
【００５７】
ここで、ピストン３９は、軸線方向の一方側が開口しており、インナ側のブレーキパッド３３に対面する、軸線方向の他方側が蓋部３９Ａによって閉塞されている。ピストン３９は、シリンダ３６内に挿入されている。また、回転直動変換機構４０はピストン３９の内部に収容されており、ピストン３９は、該回転直動変換機構４０によりシリンダ部３６の軸線方向に推進されるように構成されている。回転直動変換機構４０は、車輪（後輪３）を回転不能に保持または解除可能に電動アクチュエータ４３により操作されるパーキング機構を構成するものである。換言すれば、回転直動変換機構４０は、電動アクチュエータ４３の駆動（回転）に基づいて、ピストン３９およびブレーキパッド３３の位置の保持またはその解除を行う押圧部材保持機構を構成するものである。
【００５８】
具体的には、回転直動変換機構４０は、シリンダ部３６内への液圧付加によって生じる力とは異なる外力、即ち、電動アクチュエータ４３により発生される力によってキャリパ３４のピストン３９を推進させると共に、推進されたピストン３９およびブレーキパッド３３を保持する。これにより、駐車ブレーキは保持状態（アプライ状態）となる。一方、回転直動変換機構４０は、電動アクチュエータ４３によりピストン３９を推進方向とは逆方向に退避させ、駐車ブレーキを解除状態とする。そして、左，右の後輪３用に左，右のディスクブレーキ３１がそれぞれ設けられるので、回転直動変換機構４０および電動アクチュエータ４３も、車両の左，右それぞれに設けられている。
【００５９】
回転直動変換機構４０は、台形ねじ等の雄ねじが形成された棒状体を有するねじ部材４１と、台形ねじによって形成される雌ねじ穴が内周側に形成された推進部材となる直動部材４２とにより構成されている。即ち、直動部材４２の内周側に螺合したねじ部材４１は、電動アクチュエータ４３による回転運動を直動部材４２の直線運動に変換するねじ機構を構成している。この場合、直動部材４２の雌ねじとねじ部材４１の雄ねじとは、不可逆性の大きいねじ、実施形態においては、台形ねじを用いて形成することによりパーキング機構を構成している。
【００６０】
回転直動変換機構４０は、電動アクチュエータ４３に対する給電を停止した状態でも、直動部材４２（即ち、ピストン３９）を任意の位置で摩擦力（保持力）によって保持するようになっている。なお、回転直動変換機構４０は、電動アクチュエータ４３により推進された位置にピストン３９を保持することができればよく、例えば、台形ねじ以外の不可逆性の大きい通常の三角断面のねじやウォームギヤとしてもよい。
【００６１】
直動部材４２の内周側に螺合して設けられたねじ部材４１には、軸線方向の一方側に大径の鍔部であるフランジ部４１Ａが設けられている。ねじ部材４１の軸線方向の他方側は、ピストン３９の蓋部３９Ａに向けて延びている。ねじ部材４１は、フランジ部４１Ａにおいて電動アクチュエータ４３の出力軸４３Ｂに一体的に連結されている。また、直動部材４２の外周側には、直動部材４２をピストン３９に対して回り止め（相対回転を規制）しつつ、直動部材４２が軸線方向に相対移動することを許容する係合突部４２Ａが設けられている。
【００６２】
電動モータ（電動機構、駐車ブレーキ用アクチュエータ）としての電動アクチュエータ４３は、ケーシング４３Ａ内に設けられている。このケーシング４３Ａは、キャリパ本体３５のシリンダ部３６に隔壁部３６Ａの外側位置で固定して設けられている。電動アクチュエータ４３は、上述の作動要求信号（保持の作動要求信号、解除の作動要求信号）に応じてディスクブレーキ３１を作動（保持・解除）させるもので、ステータ、ロータ等を内蔵するモータと、該モータのトルクを増大する減速機（いずれも図示せず）とを含んで構成されている。減速機は、増大後の回転トルクを出力する出力軸４３Ｂを有している。出力軸４３Ｂは、シリンダ部３６の隔壁部３６Ａを軸線方向に貫通して延びており、ねじ部材４１と一体に回転するように、シリンダ部３６内においてねじ部材４１のフランジ部４１Ａの端部に連結されている。
【００６３】
出力軸４３Ｂとねじ部材４１との連結手段は、例えば軸線方向には移動可能であるが回転方向には回り止めされるように構成することができる。この場合は、例えばスプライン嵌合や多角形柱による嵌合（非円形嵌合）等の公知の技術が用いられる。なお、減速機としては、例えば、遊星歯車減速機やウォーム歯車減速機等が用いられてもよい。また、ウォーム歯車減速機等、逆作動性のない（不可逆性の）公知の減速機を用いる場合は、回転直動変換機構４０として、ボールねじやボールランプ機構等、可逆性のある公知の機構を用いることができる。この場合は、例えば、可逆性の回転直動変換機構と不可逆性の減速機とによりパーキング機構を構成することができる。
【００６４】
運転者が図１ないし図３に示すパーキングスイッチ１８を操作したときには、駐車ブレーキ制御装置１９を介して電動アクチュエータ４３（のモータ）に給電され、電動アクチュエータ４３の出力軸４３Ｂが回転される。このため、回転直動変換機構４０のねじ部材４１は、一方向に出力軸４３Ｂと一体に回転され、直動部材４２を介してピストン３９をディスクロータ４側に推進（駆動）する。これにより、ディスクブレーキ３１は、ディスクロータ４をインナ側およびアウタ側のブレーキパッド３３間で挟持し、電動式の駐車ブレーキとして制動力を付与した状態、即ち、保持状態（アプライ状態）となる。
【００６５】
一方、パーキングスイッチ１８が制動解除側に操作されたときには、電動アクチュエータ４３により回転直動変換機構４０のねじ部材４１が他方向（逆方向）に回転駆動される。これにより、直動部材４２（および液圧付加がなければピストン３９）は、ディスクロータ４から離れる方向に駆動され、ディスクブレーキ３１は、駐車ブレーキとしての制動力の付与が解除された状態、即ち、解除状態（リリース状態）となる。
【００６６】
この場合、回転直動変換機構４０では、ねじ部材４１が直動部材４２に対して相対回転されるとき、ピストン３９内での直動部材４２の回転が規制されているため、直動部材４２は、ねじ部材４１の回転角度に応じて軸線方向に相対移動する。これにより、回転直動変換機構４０は、回転運動を直線運動に変換し、直動部材４２によりピストン３９が推進される。また、これと共に、回転直動変換機構４０は、直動部材４２を任意の位置でねじ部材４１との摩擦力によって保持することにより、ピストン３９およびブレーキパッド３３を電動アクチュエータ４３により推進された位置に保持する。
【００６７】
シリンダ部３６の隔壁部３６Ａとねじ部材４１のフランジ部４１Ａとの間には、スラスト軸受４４が設けられている。このスラスト軸受４４は、隔壁部３６Ａと共にねじ部材４１からのスラスト荷重を受け、隔壁部３６Ａに対するねじ部材４１の回転を円滑にする。また、シリンダ部３６の隔壁部３６Ａには、電動アクチュエータ４３の出力軸４３Ｂとの間にシール部材４５が設けられ、該シール部材４５は、シリンダ部３６内のブレーキ液が電動アクチュエータ４３側に漏洩するのを阻止するように両者の間をシールしている。
【００６８】
また、シリンダ部３６の開口端側には、該シリンダ部３６とピストン３９との間をシールする弾性シールとしてのピストンシール４６と、シリンダ部３６内への異物侵入を防ぐダストブーツ４７とが設けられている。ダストブーツ４７は、可撓性を有した蛇腹状のシール部材であり、シリンダ部３６の開口端とピストン３９の蓋部３９Ａ側の外周との間に取付けられている。
【００６９】
なお、前輪２用のディスクブレーキ５は、駐車ブレーキ機構を除いて、後輪３用のディスクブレーキ３１とほぼ同様に構成されている。即ち、前輪２用のディスクブレーキ５は、後輪３用のディスクブレーキ３１が備える、駐車ブレーキとして作動する回転直動変換機構４０および電動アクチュエータ４３等を備えていない。しかし、ディスクブレーキ５に代えて、前輪２用に電動駐車ブレーキ機能付のディスクブレーキ３１を設けられてもよい。
【００７０】
なお、実施形態では、電動アクチュエータ４３を有する液圧式のディスクブレーキ３１を例に挙げて説明した。しかし、例えば、電動キャリパを有する電動式ディスクブレーキ、電動アクチュエータによりシューをドラムに押付けて制動力を付与する電動式ドラムブレーキ、電動ドラム式の駐車ブレーキを有するディスクブレーキ、電動アクチュエータでケーブルを引っ張ることにより駐車ブレーキを保持作動させる構成等、電動アクチューエータ（電動モータ）の駆動に基づいて摩擦部材（パッド、シュー）を回転部材（ディスクロータ、ドラム）に押圧（推進）し、その押圧力を保持させることができるパーキング機構が設けられたブレーキ機構であれば、その構成は、上述の実施形態の構成でなくともよい。
【００７１】
実施形態による４輪自動車のブレーキシステムは、上述の如き構成を有するもので、次に、その作動について説明する。
【００７２】
車両の運転者がブレーキペダル６を踏込み操作すると、その踏力が倍力装置７を介してマスタシリンダ８に伝達され、マスタシリンダ８によってブレーキ液圧が発生する。マスタシリンダ８内で発生した液圧は、シリンダ側液圧配管１０Ａ，１０Ｂ、ＥＳＣ１１およびブレーキ側配管部１２Ａ，１２Ｂ，１２Ｃ，１２Ｄを介して各ディスクブレーキ５，３１に分配され、左，右の前輪２と左，右の後輪３とにそれぞれ制動力が付与される。
【００７３】
後輪３用のディスクブレーキ３１について説明する。キャリパ３４のシリンダ部３６内にブレーキ側配管部１２Ｃ，１２Ｄを介して液圧が供給され、シリンダ部３６内の液圧上昇に従ってピストン３９がインナ側のブレーキパッド３３に向けて摺動的に変位する。これにより、ピストン３９は、インナ側のブレーキパッド３３をディスクロータ４の一側面に対して押圧する。このときの反力によって、キャリパ３４全体が取付部材３２の前記各腕部に対してインナ側に摺動的に変位する。
【００７４】
この結果、キャリパ３４のアウタ脚部（爪部３８）は、アウタ側のブレーキパッド３３をディスクロータ４に対して押圧するように動作し、ディスクロータ４は、一対のブレーキパッド３３によって軸線方向の両側から挟持される。それによって、液圧に基づく制動力が発生される。一方、ブレーキ操作が解除されたときには、シリンダ部３６内への液圧供給が停止されることにより、ピストン３９がシリンダ部３６内へと後退するように変位する。これによって、インナ側とアウタ側のブレーキパッド３３がディスクロータ４からそれぞれ離間し、車両は非制動状態に戻される。
【００７５】
次に、車両の運転者がパーキングスイッチ１８を制動側（オン）に操作したときには、駐車ブレーキ制御装置１９からディスクブレーキ３１の電動アクチュエータ４３に給電が行われ、電動アクチュエータ４３の出力軸４３Ｂが回転駆動される。電動駐車ブレーキ機能付のディスクブレーキ３１は、電動アクチュエータ４３の回転運動を回転直動変換機構４０のねじ部材４１を介して直動部材４２の直線運動に変換し、直動部材４２を軸線方向に移動させてピストン３９を推進する。これにより、一対のブレーキパッド３３がディスクロータ４の両面に対して押圧される。
【００７６】
このとき、直動部材４２は、ピストン３９から伝達される押圧反力を垂直抗力とした、ねじ部材４１との間に発生する摩擦力（保持力）により制動状態に保持され、後輪３用のディスクブレーキ３１は、駐車ブレーキとして作動（アプライ）される。即ち、電動アクチュエータ４３への給電を停止した後にも、直動部材４２の雌ねじとねじ部材４１の雄ねじとにより、直動部材４２（ひいては、ピストン３９）は制動位置に保持されることができる。
【００７７】
一方、運転者がパーキングスイッチ１８を制動解除側（オフ）に操作したときには、駐車ブレーキ制御装置１９から電動アクチュエータ４３に対してモータが逆転するように給電され、電動アクチュエータ４３の出力軸４３Ｂは、駐車ブレーキの作動時（アプライ時）と逆方向に回転される。このとき、ねじ部材４１と直動部材４２とによる制動力の保持が解除され、回転直動変換機構４０は、電動アクチュエータ４３の逆回転の量に対応した移動量で直動部材４２を戻り方向に、即ち、シリンダ部３６内へと移動させ、駐車ブレーキ（ディスクブレーキ３１）の制動力を解除する。
【００７８】
ところで、パーキングスイッチ１８が故障したときに、駐車ブレーキの保持（アプライ）が行えなくなると、不便である。一方、パーキングスイッチ１８が故障した場合に、イグニッションオフを条件に、駐車ブレーキの保持を自動的に行う構成とすることが考えられる。しかし、この場合は、運転者が他の乗員を残して車両から離れるときに、駐車ブレーキを保持するために、イグニッションオフをしなければならない。これにより、エアコン（車内空調装置）を運転することができなくなり、例えば酷暑や寒冷の中では乗員に過度の不快感を与えるおそれがある。
【００７９】
これに対し、実施形態では、駐車ブレーキ制御装置１９は、パーキングスイッチ１８の故障（異常）が検出されると、車両の停車時に運転者が走行を継続しないことを推定する条件を検出した場合に、駐車ブレーキの保持を行うべく電動アクチュエータ４３を駆動する構成としている。
【００８０】
以下、駐車ブレーキ制御装置１９の演算回路２０で行われる制御処理（パーキングスイッチ１８の異常時の駐車ブレーキの自動保持の処理）について、図４および図５を参照しつつ説明する。なお、図４および図５の処理は、駐車ブレーキ制御装置１９に通電している間、所定の制御周期で、即ち、所定時間（例えば、１０ｍｓ）毎に繰り返し実行される。
【００８１】
この場合、駐車ブレーキ制御装置１９への通電は、例えば、運転者のパワースイッチ、キースイッチ等（イグニッションスイッチ５０）の操作によるアクセサリオン（ＡＣＣモード）、イグニッションオン（レディーモード）、電源オン（オンモード）等のシステム起動（車両システムの起動、駐車ブレーキ制御装置１９の起動）により開始される。
【００８２】
一方、駐車ブレーキ制御装置１９への通電の終了（停止）は、運転者のパワースイッチ、キースイッチ等の操作によるイグニッションオフ（電源オフ、ロック）が行われた後、直ちに終了するのではなく、運転者の操作の後、ある程度の時間（所定時間：例えば５分程度）の経過後に終了する。この理由は、運転者のパワースイッチ、キースイッチ等の操作によるイグニッションオフ（電源オフ、ロック）の後にも、運転者の操作による駐車ブレーキの保持作動、および、図４および図５の処理による駐車ブレーキの自動的な保持作動を可能にするためである。
【００８３】
駐車ブレーキ制御装置１９への通電により、図４の処理動作がスタートすると、演算回路２０は、Ｓ１で、パーキングスイッチ１８が故障しているか否か（異常があるか否か）を判定する。この判定は、例えば、パーキングスイッチ１８の電圧値に基づいて行う。具体的には、例えば、パーキングスイッチ１８の電圧値が、アプライ操作のときの電圧値とリリース操作のときの電圧値と操作なしのときの電圧値とのいずれの電圧値に対しても外れた（ずれた）場合に、パーキングスイッチ１８の故障（異常）と判定することができる。
【００８４】
Ｓ１で、「ＹＥＳ」、即ち、パーキングスイッチ１８が故障している（異常あり）と判定された場合は、Ｓ２に進む。Ｓ２では、車両が停車中であるか否かを判定する。この判定は、車両の速度（車速）に基づいて行うことができる。即ち、車速が、例えば、走行中に減速に伴って４ｋｍ／ｈ未満の状態が所定時間（例えば、３０ｍｓ）継続した場合に車両が停止中と判定し、停車から増速に伴って５ｋｍ／ｈ以上の状態が所定時間（例えば、３０ｍｓ）継続した場合に車両が走行中と判定することができる。車速は、例えば、車両データバス１６から取得される車輪２，３の速度（車輪速）を用いることができる。また、車輪速以外にも、例えば、車両のトランスミッションの回転軸の回転速度から求められる車速等の他の車速に関する情報を用いてもよい。
【００８５】
Ｓ２で、「ＹＥＳ」、即ち、車両が停車中であると判定された場合は、Ｓ３に進む。Ｓ３では、運転者による発進操作があるか否かを判定する。この判定は、例えば、運転者がアクセルペダルを踏んだか否か、運転者がシフトレバー（セレクトレバー、セレクトスイッチ）を走行状態（Ｄ、Ｒ、Ｌ、１速ないし７速のいずれか等）に操作したか否か等により判定することができる。この場合、アクセルペダルの操作の情報、シフトレバーの操作位置（選択位置）の情報は、例えば車両データバス１６から取得することができる。
【００８６】
Ｓ３で、「ＮＯ」、即ち、運転者による発進操作がないと判定された場合は、Ｓ４に進む。Ｓ４では、イグニッション（ＩＧＮ）の切換わりがあるか否かを判定する。即ち、直前の制御周期のイグニッション（ＩＧＮ）の状態と今回の制御周期のイグニッション（ＩＧＮ）の状態が相違するか否か、具体的には、直前の制御周期がイグニッションオン（ＩＧＮ_ＯＮ）で今回の制御周期がイグニッションオフ（ＩＧＮ_ＯＦＦ）であるか否か、または、直前の制御周期がイグニッションオフ（ＩＧＮ_ＯＦＦ）で今回の制御周期がイグニッションオン（ＩＧＮ_ＯＮ）であるか否かを判定する。イグニッションのオン／オフの情報は、例えば車両データバス１６から取得することができる。
【００８７】
Ｓ４で、「ＮＯ」、即ち、イグニッション（ＩＧＮ）の切換わりがないと判定された場合は、Ｓ５，６を介することなく、Ｓ７に進む。一方、Ｓ４で、「ＹＥＳ」、即ち、イグニッション（ＩＧＮ）の切換わりがあると判定された場合は、Ｓ５，６に進む。Ｓ５では、運転者の走行を継続しないことを推定する条件となる「ブレーキ踏み用カウンタ」を０にする（リセットする）。Ｓ６では、運転者の走行を継続しないことを推定する条件となる「降車or非運転用カウンタ」を０にする（リセットする）。
【００８８】
Ｓ４またはＳ６に続くＳ７では、ブレーキ踏み中（ブレーキペダル６の踏み込み中）であるか否かを判定する。この場合、ブレーキペダル６の操作は、ブレーキペダル操作検出センサ６Ａから（車両データバス１６を介して）取得することができる。
【００８９】
Ｓ７で、「ＹＥＳ」、即ち、ブレーキ踏み中であると判定された場合は、Ｓ８に進み、「ブレーキ踏み用カウンタ」の値に１を加える（カウントアップする）。一方、Ｓ７で、「ＮＯ」、即ち、ブレーキ踏み中でないと判定された場合は、Ｓ９に進み、「ブレーキ踏み用カウンタ」の値を０にする（リセットする）。
【００９０】
Ｓ８またはＳ９に続くＳ１０では、運転者の降車または非運転を推定する条件が検出されたか否かを判定する。ここで、運転者の降車を推定する条件に対応する運転者の降車の意思（降車しようとしていること、および／または、降車したこと）は、例えば、車両の少なくともいずれかのドアが開いたこと、シートベルトが外されたこと、シフトレバーがパーキング（Ｐ）の位置に操作されたこと、ステアリングホイール（ハンドル）から手が所定時間離されたこと、運転者が離席したこと、運転者が降車する動きをしたこと、運転者が降車したこと等が検出された場合に、その意思ありと推定することができる。
【００９１】
また、運転者の非運転を推定する条件に対応する運転者の非運転の意思は、例えば、運転者の降車の意思と同様の状態が検出されたことにより、その意思ありと推定することができる。また、運転者を映す室内カメラにより運転者の視線が所定時間前方にないこと、運転者が所定時間目を閉じていること等が検出されたときに、運転者の非運転の意思ありと推定することができる。運転者の降車の意思、運転者の非運転の意思を推定するための情報（条件）は、例えば車両データバス１６から取得することができる。
【００９２】
Ｓ１０で、「ＹＥＳ」、即ち、運転者の降車または非運転を推定する条件が検出されたと判定された場合は、Ｓ１１に進み、「降車or非運転用カウンタ」の値に１を加える（カウントアップする）。一方、Ｓ１０で、「ＮＯ」、即ち、運転者の降車または非運転を推定する条件が検出されないと判定された場合は、Ｓ１２に進み、「降車or非運転用カウンタ」の値を０にする（リセットする）。
【００９３】
一方、Ｓ１で、「ＮＯ」、即ち、パーキングスイッチ１８が故障していない（異常なし）と判定された場合、Ｓ２で、「ＮＯ」、即ち、車両が停車中でない（走行中である）と判定された場合、および、Ｓ３で、「ＹＥＳ」、即ち、運転者による発進操作があると判定された場合は、いずれも、Ｓ１３，１４に進む。Ｓ１３では、「ブレーキ踏み用カウンタ」の値を０にし（リセットし）、続くＳ１４では、「降車or非運転用カウンタ」の値を０にする（リセットする）。
【００９４】
Ｓ１１、Ｓ１２またはＳ１４に続くＳ１５では、イグニッションオン（ＩＧＮ_ＯＮ）であるか否かを判定する。イグニッションオン／オフの情報は、例えば車両データバス１６から取得することができる。Ｓ１５で、「ＹＥＳ」、即ち、イグニッションオンであると判定された場合は、Ｓ１６に進み、「ブレーキ踏み用カウンタ」が「イグニッションオンのときのブレーキ踏み用カウンタ閾値」以上であるか否かを判定する。
【００９５】
ここで、「イグニッションオンのときのブレーキ踏み用カウンタ閾値」は、イグニッションオンのときに、ブレーキペダル６が踏まれてから駐車ブレーキの保持作動が自動的に開始されるまでの所定時間に対応するものである。「イグニッションオンのときのブレーキ踏み用カウンタ閾値」は、イグニッションオンの状態で、駐車ブレーキの保持が必要とされるとき（運転者や乗員が望むとき）に、駐車ブレーキの保持を行うことができるように、例えば、実験、計算、シミュレーション等により、好ましい値を予め設定しておく。
【００９６】
「イグニッションオンのときのブレーキ踏み用カウンタ閾値」は、後述のＳ１８で用いる「イグニッションオフのときのブレーキ踏み用カウンタ閾値」よりも大きい値とすることができる。これにより、駐車ブレーキの保持作動が自動的に開始されるまでのブレーキペダル６の踏み時間となる所定時間を、イグニッションオンのときに、イグニッションオフのときと比較して長くすることができる。
【００９７】
また、「イグニッションオンのときのブレーキ踏み用カウンタ閾値」は、車両の状態や運転者の操作状況に応じて可変にすることができる。例えば、シフトレバーの選択位置が走行状態（Ｄ、Ｒ、Ｌ、１速ないし７速のいずれか等）のときの閾値を、シフトレバーの位置が非走行状態（Ｐ、Ｎ）のときの閾値と比較して、大きくすることができる。
【００９８】
Ｓ１６で、「ＹＥＳ」、即ち、「ブレーキ踏み用カウンタ」が「イグニッションオンのときのブレーキ踏み用カウンタ閾値」以上であると判定された場合は、Ｓ２０に進み、自動アプライ指令を出力する。即ち、駐車ブレーキ制御装置１９の指令に基づいて、電動アクチュエータ４３を制動側に回転させ、駐車ブレーキを保持作動させる。
【００９９】
一方、Ｓ１６で、「ＮＯ」、即ち、「ブレーキ踏み用カウンタ」が「イグニッションオンのときのブレーキ踏み用カウンタ閾値」以上でないと判定された場合は、Ｓ１７に進む。Ｓ１７では、「降車or非運転用カウンタ」が「イグニッションオンのときの降車or非運転用カウンタ閾値」以上であるか否かを判定する。
【０１００】
ここで、「イグニッションオンのときの降車or非運転用カウンタ閾値」は、イグニッションオンのときに、運転者の降車または非運転を推定する条件が検出されてから駐車ブレーキの保持作動が自動的に開始されるまでの所定時間に対応するものである。「イグニッションオンのときの降車or非運転用カウンタ閾値」も、イグニッションオンの状態で、駐車ブレーキの保持が必要とされるとき（運転者や乗員が望むとき）に、駐車ブレーキの保持を行うことができるように、例えば、実験、計算、シミュレーション等により、好ましい値を予め設定しておく。
【０１０１】
Ｓ１７で、「ＹＥＳ」、即ち、「降車or非運転用カウンタ」が「イグニッションオンのときの降車or非運転用カウンタ閾値」以上であると判定された場合は、Ｓ２０に進み、自動アプライ指令を出力する。即ち、駐車ブレーキ制御装置１９の指令に基づいて、電動アクチュエータ４３を制動側に回転させ、駐車ブレーキを保持作動させる。
【０１０２】
一方、Ｓ１７で、「ＮＯ」、即ち、「降車or非運転用カウンタ」が「イグニッションオンのときの降車or非運転用カウンタ閾値」以上でないと判定された場合は、Ｓ２０を介することなくリターンに進み、スタートを介してＳ１以降の処理を繰り返す。
【０１０３】
一方、Ｓ１５で、「ＮＯ」、即ち、イグニッションオンでないと判定された場合は、Ｓ１８に進み、「ブレーキ踏み用カウンタ」が「イグニッションオフのときのブレーキ踏み用カウンタ閾値」以上であるか否かを判定する。
【０１０４】
ここで、「イグニッションオフのときのブレーキ踏み用カウンタ閾値」は、イグニッションオフのときに、ブレーキペダル６が踏まれてから駐車ブレーキの保持作動が自動的に開始されるまでの所定時間に対応するものである。「イグニッションオフのときのブレーキ踏み用カウンタ閾値」は、イグニッションオフの状態で、駐車ブレーキの保持が必要とされるとき（運転者や乗員が望むとき）に、駐車ブレーキの保持を行うことができるように、例えば、実験、計算、シミュレーション等により、好ましい値を予め設定しておく。
【０１０５】
Ｓ１８で、「ＹＥＳ」、即ち、「ブレーキ踏み用カウンタ」が「イグニッションオフのときのブレーキ踏み用カウンタ閾値」以上であると判定された場合は、Ｓ２０に進み、自動アプライ指令を出力する。即ち、駐車ブレーキ制御装置１９の指令に基づいて、電動アクチュエータ４３を制動側に回転させ、駐車ブレーキを保持作動させる。
【０１０６】
一方、Ｓ１８で、「ＮＯ」、即ち、「ブレーキ踏み用カウンタ」が「イグニッションオフのときのブレーキ踏み用カウンタ閾値」以上でないと判定された場合は、Ｓ１９に進む。Ｓ１９では、「降車or非運転用カウンタ」が「イグニッションオフのときの降車or非運転用カウンタ閾値」以上であるか否かを判定する。
【０１０７】
ここで、「イグニッションオフのときの降車or非運転用カウンタ閾値」は、イグニッションオフのときに、運転者の降車または非運転を推定する条件が検出されてから駐車ブレーキの保持作動が自動的に開始されるまでの所定時間に対応するものである。「イグニッションオフのときの降車or非運転用カウンタ閾値」も、イグニッションオフの状態で、駐車ブレーキの保持が必要とされるとき（運転者や乗員が望むとき）に、駐車ブレーキの保持を行うことができるように、例えば、実験、計算、シミュレーション等により、好ましい値を予め設定しておく。
【０１０８】
Ｓ１９で、「ＹＥＳ」、即ち、「降車or非運転用カウンタ」が「イグニッションオフのときの降車or非運転用カウンタ閾値」以上であると判定された場合は、Ｓ２０に進み、自動アプライ指令を出力する。即ち、駐車ブレーキ制御装置１９の指令に基づいて、電動アクチュエータ４３を制動側に回転させ、駐車ブレーキを保持作動させる。
【０１０９】
一方、Ｓ１９で、「ＮＯ」、即ち、「降車or非運転用カウンタ」が「イグニッションオフのときの降車or非運転用カウンタ閾値」以上でないと判定された場合は、Ｓ２０を介することなくリターンに進み、スタートを介してＳ１以降の処理を繰り返す。
【０１１０】
実施形態では、パーキングスイッチ１８が故障しても、駐車ブレーキの保持を行うことができ、車両の停車状態を維持することが可能となる。
【０１１１】
即ち、実施形態では、パーキングスイッチ１８が故障したとき（異常と判定されたとき）は、車両が停車した状態でブレーキペダル６が所定時間踏まれている場合、または、車両が停車した状態で運転者の降車ないし非運転を推定する条件を検出した場合に、電動アクチュエータ４３を制動側に作動させて駐車ブレーキの保持を行うことができる。これにより、パーキングスイッチ１８が故障しても、駐車ブレーキの保持を行うことができ、車両の停車状態を維持することが可能となる。
【０１１２】
また、実施形態では、パーキングスイッチ１８が故障したとき（異常と判定されたとき）は、駆動装置となるエンジンが走行可能な状態（イグニッションオンの状態）で、車両が停車しているときに、運転者が走行を継続しないことを推定する条件（ブレーキペダル６が所定時間踏まれたことや運転者の降車ないし非運転を推定する条件）を検出した場合に、電動アクチュエータ４３を制動側に作動させて駐車ブレーキの保持を行うことができる。これにより、パーキングスイッチ１８が故障しても、駆動装置が走行可能な状態（イグニッションオンの状態）で、駐車ブレーキの保持を行うことができる。この場合、例えば、車内空調装置（エアコン）を運転した状態で、車両の停車状態を維持することが可能となり、パーキングスイッチ１８が故障しても、酷暑や寒冷の中で乗員に不快感を与えることを抑制することができる。
【０１１３】
実施形態では、駐車ブレーキ制御装置１９は、イグニッションのオンのときに、オフのときと比較して所定時間を長く設定する構成としている。これにより、イグニッションのオンのときに、駐車ブレーキの保持が不必要に行われることを抑制することができる。
【０１１４】
実施形態では、駐車ブレーキ制御装置１９は、イグニッションのオンのときに、トランスミッションの位置となるシフトレバーの選択位置が走行状態（Ｄ、Ｒ、Ｌ、１速ないし７速のいずれか等）のときに、走行状態以外（非走行状態：Ｐ、Ｎ）を選択しているときと比較して所定時間を長く設定する構成としている。これにより、短時間の停車と走行とが繰り返されるとき、例えば渋滞走行中に、駐車ブレーキの保持が不必要に行われることを抑制することができる。
【０１１５】
実施形態では、運転者の降車を推定する条件は、車両の少なくともいずれかのドアが開いたこととしている。この場合は、車両が停止した状態で、車両の少なくともいずれかのドアが開いたときに、駐車ブレーキの保持を行うことができる。これにより、パーキングスイッチ１８が故障したときにも、駐車ブレーキの保持が必要なとき（運転者や乗員が望むとき）に、駐車ブレーキの保持を行うことができる。
【０１１６】
実施形態では、運転者の降車を推定する条件は、車両が停止した状態で運転者のシートベルトが外されたこととしている。この場合は、車両が停止した状態で、運転者のシートベルトが外されたときに、駐車ブレーキの保持を行うことができる。これにより、パーキングスイッチ１８が故障したときにも、駐車ブレーキの保持が必要なとき（運転者や乗員が望むとき）に、駐車ブレーキの保持を行うことができる。
【０１１７】
実施形態では、運転者の降車を推定する条件は、トランスミッションの位置となるシフトレバーの位置がパーキング位置（Ｐ）に選択されたこととしている。この場合は、車両が停止した状態で、トランスミッションがパーキング位置（Ｐ）に選択されたときに、駐車ブレーキの保持が行われる。これにより、パーキングスイッチ１８が故障したときにも、駐車ブレーキの保持が必要なとき（運転者や乗員が望むとき）に、駐車ブレーキの保持を行うことができる。
【０１１８】
なお、上述した実施形態では、図４のＳ１の処理が本発明の構成要件であるパーキングスイッチ異常検出手段の具体例を示している。
【０１１９】
上述した実施形態では、Ｓ４の処理でイグニッション（ＩＧＮ）の切換わりがある（ＹＥＳ）と判定されると、Ｓ５の処理で「ブレーキ踏み用カウンタ」を０にし（リセットし）、Ｓ６の処理で「降車or非運転用カウンタ」を０にする（リセットする）構成とした場合を例に挙げて説明した。しかし、これに限らず、例えば、Ｓ４，５，６の処理を省略し、Ｓ３で「ＮＯ」と判定された場合はＳ７に進む構成としてもよい。
【０１２０】
上述した実施形態では、Ｓ１５で「ＮＯ」、即ち、イグニッションオンでないと判定された場合は、Ｓ１８またはＳ１９で「ブレーキ踏み用カウンタ」または「降車or非運転用カウンタ」がその閾値以上である（ＹＥＳ）と判定されると、Ｓ２０に進み、駐車ブレーキを保持作動させる構成とした場合を例に挙げて説明した。
【０１２１】
即ち、実施形態では、イグニッションオンでないと判定された場合、「ブレーキ踏み用カウンタ」または「降車or非運転用カウンタ」がその閾値以上であることを条件に、駐車ブレーキを保持作動させる構成としている。しかし、これに限らず、例えば、Ｓ１５で「ＮＯ」と判定されると、Ｓ１８またはＳ１９の処理を介することなくＳ２０に進む構成としてもよい。即ち、イグニッションオンでないと判定されたとき、より具体的には、イグニッションオフやアクセサリ状態等、エンジン等の駆動装置を非駆動状態としたときに、駐車ブレーキを保持作動させる構成としてもよい。
【０１２２】
次に、図６および図７は、第２の実施形態を示している。第２の実施形態の特徴は、車両のドアが開いた状態でパーキングスイッチの異常が検出されたときは、その開いた状態のドアが閉じて再び開いたときに運転者の降車を推定する構成としたことにある。なお、第２の実施形態では、第１の実施形態と同一の構成要素に同一の符号を付し、その説明を省略する。
【０１２３】
上述の第１の実施形態では、パーキングスイッチ異常検出手段によってパーキングスイッチ１８の異常が検出された場合において、車両が停止した状態で車両のドア（例えば、運転席のドア）が開くと、イグニッションオンであっても（即ち、イグニッションオンであるか否かにかかわらず）、電動アクチュエータ４３を作動させ、駐車ブレーキを（自動的に）保持作動させる。このため、例えば、車両のドアが開いた状態でパーキングスイッチ１８の異常が検出されると、その異常が検出された時点で電動アクチュエータ４３が作動し、駐車ブレーキが保持状態となる。この場合、例えば、イグニッションオンにしていた運転者にとっては、異常の検出により前触れなく駐車ブレーキが保持作動することになり、違和感を与えるおそれがある。
【０１２４】
そこで、第２の実施形態の駐車ブレーキ制御装置１９は、車両に設けられた複数のドアのうちの少なくともいずれかのドア（例えば、運転席のドア）が開いた状態で、パーキングスイッチ１８の異常が検出されたときは、その開いた状態のドアが閉じて再び開いたことを条件に、電動アクチュエータ４３を作動させ、駐車ブレーキを（自動的に）保持作動させる。ここで、この条件、即ち、「開いた状態のドアが閉じて再び開いたこと」は、イグニッションオンであるか否かにかかわらず、運転者の降車を推定する条件とすることができる。但し、上記条件は、イグニッションオンであるときの運転者の降車を推定する条件とすることがより好ましい。
【０１２５】
このため、第２の実施形態では、イグニッションオンであり、車両のいずれかのドアが開いており、かつ、パーキングスイッチ１８の異常が検出されたときは、その開いた状態のドアが閉じて再び開くと、電動アクチュエータ４３を作動させ、駐車ブレーキを保持作動させる。一方、イグニッションオフのときは、パーキングスイッチ１８の異常が検出されると、車両のいずれかのドアが開であることを条件に、電動アクチュエータ４３を作動させ、駐車ブレーキを保持作動させる。
【０１２６】
このような制御処理を行うために、第２の実施形態では、図４のＳ１０の処理、即ち、運転者の降車または非運転を推定する条件が検出されたか否かの判定処理の一つとして、図６の処理を行う。即ち、図４のＳ８またはＳ９を介して図４のＳ１０に進むことにより、図６の処理がスタートすると、図６のＳ２１では、パーキングスイッチ１８が故障しているか否か（異常があるか否か）を判定する。この判定は、図４のＳ１と同様の処理となる。図６のＳ２１で、「ＮＯ」、即ち、パーキングスイッチ１８が故障していないと判定されると、Ｓ２２に進み、降車または非運転状態でないと判定し、処理を終了する。なお、この場合、例えば、運転者の降車または非運転を推定するための他の条件（前述した段落［００４１］の（２）〜（６）の条件）を検出する処理に進んでもよい。または、他の条件を検出する処理が行われている場合は、図６のリターンを介して、図４のＳ１２に進んでもよい。
【０１２７】
一方、図６のＳ２１で、「ＹＥＳ」、即ち、パーキングスイッチ１８が故障していると判定されると、Ｓ２３に進む。Ｓ２３では、今回の制御処理で車両のドア（例えば、運転席のドア）が開状態であるか否かを判定する。この判定は、例えば、ドアセンサによるドアの開閉の情報を車両データバス１６から取得し、この取得した情報に基づいて行うことができる。Ｓ２３で、「ＮＯ」、即ち、今回の制御処理で車両のドアが開状態でないと判定されると、Ｓ２２に進む。一方、Ｓ２３で、「ＹＥＳ」、即ち、今回の制御処理で車両のドアが開状態であると判定されると、Ｓ２４に進む。
【０１２８】
Ｓ２４では、イグニッションオン（ＩＧＮ_ＯＮ）であるか否かを判定する。この判定は、図５のＳ１５と同様の処理となる。図６のＳ２４で、「ＹＥＳ」、即ち、イグニッションオンであると判定された場合は、Ｓ２５に進む。一方、Ｓ２４で、「ＮＯ」、即ち、イグニッションオフであると判定された場合は、Ｓ２５を介することなくＳ２６に進む。Ｓ２５では、前回の制御処理で車両のドアが閉状態であったか否かを判定する。この判定は、例えば前回の制御処理で記憶部２１に記憶されたドアの開閉情報に基づいて判定することができる。
【０１２９】
Ｓ２５で、「ＮＯ」、即ち、前回の制御処理で車両のドアが閉状態でないと判定された場合は、Ｓ２２に進む。一方、Ｓ２５で、「ＹＥＳ」、即ち、前回の制御処理で車両のドアが閉状態であったと判定された場合は、Ｓ２２に進み、降車または非運転状態と判定し、処理を終了する。この場合は、図６のリターンを介して、図４のＳ１１に進む。
【０１３０】
図７は、ドアの開閉と駐車ブレーキの保持との関係を示すタイムチャートである。この図７に示すように、イグニッションオンであり、かつ、ドアが開いているときに、図７の（ａ）の時点で、パーキングスイッチ１８の異常が検出されても、Ｓ２５により「ＮＯ」と判定される。これにより、（ａ）の時点では、駐車ブレーキが保持状態とはならない。一方、パーキングスイッチ１８の異常が検出された後、図７の（ｂ）の時点で、ドアが閉から開になると、図６のＳ２５で「ＹＥＳ」と判定される。これにより、図７の（ｂ）の時点で、駐車ブレーキの保持作動（Applying）が開始され、その後、駐車ブレーキが完全に保持状態となったロック状態（Lock）となる。
【０１３１】
第２の実施形態は、上述の如き図６の処理により降車または非運転状態を判定するもので、その基本的作用については、第１の実施形態によるものと格別差異はない。
【０１３２】
特に、第２の実施形態では、イグニッションオンであり、車両のいずれかのドア（例えば、運転席のドア）が開いており、かつ、パーキングスイッチ１８の異常が検出されたときは、図６のＳ２１〜Ｓ２５の処理により、その開いた状態のドアが閉じて再び開くと、降車または非運転状態と判定される。そして、この判定に基づいて、Ｓ２０で、電動アクチュエータ４３が作動し、駐車ブレーキを保持作動させることができる。これにより、イグニッションオンにしていた運転者に対して違和感を与えること、即ち、異常の検出により前触れなく駐車ブレーキが保持作動されることによる違和感を抑制できる。
【０１３３】
一方、イグニッションオフであり、かつ、ドアが開いているときは、運転者に車両を発進させる意思がないと判定できる。この場合は、Ｓ２３、Ｓ２４と進み、Ｓ２５を介することなく、Ｓ２６に進む。このため、イグニッションオフのときは、ドアが開であれば、Ｓ２６で降車または非運転状態と判定され、この判定に基づいて、Ｓ２０で、電動アクチュエータ４３が作動し、駐車ブレーキを保持作動させることができる。これにより、イグニッションオフのときは、ドアが開であることを条件に、迅速に駐車ブレーキを作動させることができる。
【０１３４】
なお、上述した各実施形態では、左，右の後輪側ブレーキを電動駐車ブレーキ機能付のディスクブレーキ３１とした場合を例に挙げて説明した。しかし、これに限らず、例えば、全ての車輪（４輪全て）のブレーキを電動駐車ブレーキ機能付のディスクブレーキにより構成してもよい。
【０１３５】
上述した各実施形態では、電動駐車ブレーキ付の液圧式ディスクブレーキ３１を例に挙げて説明した。しかし、これに限らず、例えば液圧の供給が不要な電動式ディスクブレーキにより構成してもよい。また、ディスクブレーキ式のブレーキ機構に限らず、例えば、ドラムブレーキ式のブレーキ機構として構成してもよいものである。さらに、例えば、ディスクブレーキにドラム式の電動駐車ブレーキを設けたドラムインディスクブレーキ、電動モータでケーブルを引っ張ることにより駐車ブレーキの保持を行う構成等、ブレーキシステムのパーキング機構およびブレーキ機構は、各種のものを採用することができる。
【０１３６】
以上の実施形態によれば、パーキングスイッチが故障しても、駐車ブレーキの保持を行うことができ、車両の停車状態を維持することが可能となる。
【０１３７】
即ち、実施形態によれば、パーキングスイッチが故障したとき（異常と判定されたとき）は、車両が停車した状態でブレーキペダルが所定時間踏まれている場合、または、車両が停車した状態で運転者の降車を推定する条件を検出した場合に、車両の起動スイッチがオフであるときは勿論、車両の起動スイッチがオンであっても、電動モータを作動させてパーキング機構による駐車ブレーキの保持を行うことができる。これにより、パーキングスイッチが故障しても、駐車ブレーキの保持を行うことができ、車両の停車状態を維持することが可能となる。
【０１３８】
また、実施形態によれば、パーキングスイッチが故障したとき（異常と判定されたとき）は、車両の駆動装置が走行可能な状態で、車両が停車しているときに、運転者が走行を継続しないことを推定する条件を検出した場合に、電動モータを作動させてパーキング機構による駐車ブレーキの保持を行うことができる。これにより、パーキングスイッチが故障しても、駆動装置が走行可能な状態で、駐車ブレーキの保持を行うことができる。この場合、例えば、車内空調装置（エアコン）を運転した状態で、車両の停車状態を維持することが可能となるので、寒冷地や高温地で特に有効である。
【０１３９】
実施形態によれば、制御手段は、イグニッションのオンのときに、オフのときと比較して所定時間を長く設定する構成としている。これにより、イグニッションのオンのときに、駐車ブレーキの保持が不必要に行われることを抑制することができる。
【０１４０】
実施形態によれば、制御手段は、イグニッションのオンのときに、トランスミッションの位置が走行状態を選択しているときに、走行状態以外を選択しているときと比較して所定時間を長く設定する構成としている。これにより、短時間の停車と走行とが繰り返されるとき、例えば渋滞走行中に、駐車ブレーキの保持が不必要に行われることを抑制することができる。
【０１４１】
実施形態によれば、運転者の降車を推定する条件は、車両に設けられた複数のドアのうちの少なくともいずれかのドアが開いたこととしている。この場合は、車両が停止した状態で、車両の少なくともいずれかのドアが開いたときに、駐車ブレーキの保持を行うことができる。これにより、パーキングスイッチが故障したときにも、駐車ブレーキの保持が必要なとき（運転者や乗員が望むとき）に、駐車ブレーキの保持を行うことができる。
【０１４２】
実施形態によれば、車両に設けられた複数のドアのうちの少なくともいずれかのドアが開いた状態で、パーキングスイッチの異常が検出されたときは、運転者の降車を推定する条件は、開いた状態のドアが閉じて再び開いたこととしている。この場合、より好ましくは、車両の起動スイッチがオンであり、車両に設けられた複数のドアのうちの少なくともいずれかのドアが開いた状態で、かつ、パーキングスイッチの異常が検出されたときは、運転者の降車を推定する条件は、開いた状態のドアが閉じて再び開いたこととしている。これにより、ドアの開閉操作に基づいて運転者の降車の意思を確実に判定することができる。しかも、ドアが開いた状態で前触れなく駐車ブレーキが保持作動されることによる違和感を抑制することができる。
【０１４３】
実施形態によれば、運転者の降車を推定する条件は、車両が停止した状態で運転者のシートベルトが外されたこととしている。この場合は、車両が停止した状態で、運転者のシートベルトが外されたときに、駐車ブレーキの保持を行うことができる。これにより、パーキングスイッチが故障したときにも、駐車ブレーキの保持が必要なとき（運転者や乗員が望むとき）に、駐車ブレーキの保持を行うことができる。
【０１４４】
実施形態によれば、運転者の降車を推定する条件は、トランスミッションをパーキング位置に選択したこととしている。この場合は、車両が停止した状態で、トランスミッションがパーキング位置に選択されたときに、駐車ブレーキの保持が行われる。これにより、パーキングスイッチが故障したときにも、駐車ブレーキの保持が必要なとき（運転者や乗員が望むとき）に、駐車ブレーキの保持を行うことができる。
【符号の説明】
【０１４５】
２  前輪（車輪）
３  後輪（車輪）
４  ディスクロータ（回転部材）
６  ブレーキペダル
１８  パーキングスイッチ
１９  駐車ブレーキ制御装置（制御手段）
３１  ディスクブレーキ（ブレーキ機構）
３３  ブレーキパッド（摩擦部材）
３９  ピストン（押圧部材）
４０  回転直動変換機構（パーキング機構）
４３  電動アクチュエータ（電動モータ）
【図１】
2015115019.tif 000003
【図２】
2015115019.tif 000004
【図３】
2015115019.tif 000005
【図４】
2015115019.tif 000006
【図５】
2015115019.tif 000007
【図６】
2015115019.tif 000008
【図７】
2015115019.tif 000009
【手続補正書】
【提出日】平成28年6月2日(2016.6.2)
【手続補正１】
【補正対象書類名】特許請求の範囲
【補正対象項目名】全文
【補正方法】変更
【補正の内容】
【特許請求の範囲】
【請求項１】
車両の車輪とともに回転する回転部材に当接可能に配置される摩擦部材をブレーキペダルの操作に基づいて押圧部材で推進するブレーキ機構と、
前記車輪を回転不能に保持または解除可能に電動モータにより操作されるパーキング機構と、
該パーキング機構を保持または解除作動させるためのパーキングスイッチの操作に応じて前記電動モータを駆動する制御手段と、を有し、
該制御手段は、
前記パーキングスイッチの異常を検出するパーキングスイッチ異常検出手段を備え、
該パーキングスイッチ異常検出手段によって前記パーキングスイッチの異常が検出された場合において、
前記車両の停車時に前記ブレーキペダルが所定時間踏まれている場合、
または、
前記車両の停車時に運転者の降車を推定する条件を検出した場合、
前記車両の起動スイッチがオンであっても、前記電動モータを作動させ前記パーキング機構を保持作動させることを特徴とするブレーキシステム。
【請求項２】
前記制御手段は、
前記起動スイッチがオンのときに、オフのときと比較して前記所定時間を長く設定することを特徴とする請求項１に記載のブレーキシステム。
【請求項３】
前記制御手段は、
前記起動スイッチがオンのときに、トランスミッションの位置が走行状態を選択しているときに、走行状態以外を選択しているときと比較して前記所定時間を長く設定することを特徴とする請求項１または２に記載のブレーキシステム。
【請求項４】
前記運転者の降車を推定する条件は、前記車両に設けられた複数のドアのうちの少なくともいずれかのドアが開いたことである請求項１ないし３のいずれかに記載のブレーキシステム。
【請求項５】
前記車両に設けられた複数のドアのうちの少なくともいずれかのドアが開いた状態で、前記パーキングスイッチの異常が検出されたときは、前記運転者の降車を推定する条件は、開いた状態の前記ドアが閉じて再び開いたことである請求項１ないし３のいずれかに記載のブレーキシステム。
【請求項６】
前記運転者の降車を推定する条件は、前記車両が停止した状態で前記運転者のシートベルトが外されたことである請求項１ないし５のいずれかに記載のブレーキシステム。
【請求項７】
前記運転者の降車を推定する条件は、トランスミッションをパーキング位置に選択したことである請求項１ないし６のいずれかに記載のブレーキシステム。
【請求項８】
車両の車輪とともに回転する回転部材に当接可能に配置される摩擦部材をブレーキペダルの操作に基づいて押圧部材で推進するブレーキ機構と、
前記車輪を回転不能に保持または解除可能に電動モータにより操作されるパーキング機構と、
該パーキング機構を保持または解除作動させるためのパーキングスイッチの操作に応じて前記電動モータを駆動する制御手段と、を有し、
該制御手段は、
前記パーキングスイッチの異常を検出するパーキングスイッチ異常検出手段を備え、
該パーキングスイッチ異常検出手段によって前記パーキングスイッチの異常が検出された場合において、
前記車両の駆動装置が走行可能な状態で、前記車両の停車時に運転者が走行を継続しないことを推定する条件を検出した場合、
前記車両の起動スイッチがオンであっても、前記電動モータを作動させ前記パーキング機構を保持作動させることを特徴とするブレーキシステム。
【手続補正２】
【補正対象書類名】明細書
【補正対象項目名】０００７
【補正方法】変更
【補正の内容】
【０００７】
そして、本発明によるブレーキシステムは、前記制御手段は、前記パーキングスイッチの異常を検出するパーキングスイッチ異常検出手段を備え、該パーキングスイッチ異常検出手段によって前記パーキングスイッチの異常が検出された場合において、前記車両の停車時に前記ブレーキペダルが所定時間踏まれている場合、または、前記車両の停車時に運転者の降車を推定する条件を検出した場合、前記車両の起動スイッチがオンであっても、前記電動モータを作動させ前記パーキング機構を保持作動させる構成としている。
【手続補正３】
【補正対象書類名】明細書
【補正対象項目名】０００８
【補正方法】変更
【補正の内容】
【０００８】
また、本発明によるブレーキシステムは、前記制御手段は、前記パーキングスイッチの異常を検出するパーキングスイッチ異常検出手段を備え、該パーキングスイッチ異常検出手段によって前記パーキングスイッチの異常が検出された場合において、前記車両の駆動装置が走行可能な状態で、前記車両の停車時に運転者が走行を継続しないことを推定する条件を検出した場合、前記車両の起動スイッチがオンであっても、前記電動モータを作動させ前記パーキング機構を保持作動させる構成としている。
【国際調査報告】
2015115019.tif 000010
2015115019.tif 000011
2015115019.tif 000012
2015115019.tif 000013